(57)【要約】ストラドルドビークルにおいて、軽量化及び耐久性の両立を図りつつ、繊維強化樹脂製の部品を採用可能な構成を得る。車両１は、樹脂と該樹脂を強化する炭素繊維とを含む炭素繊維層２２ａ，２２ｄを有し且つ少なくとも一部が車両１の左右方向の外表面を構成する、サイドカバー２２を備える。サイドカバー２２は、車両１の内外方向において、炭素繊維層２２ａ，２２ｄの最外層と車両１の外表面との間に、前記樹脂と一体形成され、且つ、前記外表面が擦れた際に磨耗する外側樹脂層２２ｂ，２２ｅを有する。外側樹脂層２２ｂ，２２ｅは、車両１を左右方向から見て、車両１の左右方向の厚みが相対的に大きい部分と小さい部分とを含む。
2018139659.tif 000002
【特許請求の範囲】
【請求項１】
前輪と、
後輪と、
車両の左右方向の中央に位置し、乗員が着座するシートと、
前記乗員が前記シートに着座した状態で左足を載せる左ステップ部と、
前記乗員が前記シートに着座した状態で右足を載せる右ステップ部と、
樹脂と該樹脂を強化する強化繊維とを含む繊維強化樹脂層を有し且つ少なくとも一部が前記車両の左側外表面を構成する繊維強化樹脂製部品を、少なくとも一つ有するストラドルドビークル左側外表面部と、
樹脂と該樹脂を強化する強化繊維とを含む繊維強化樹脂層を有し且つ少なくとも一部が前記車両の右側外表面を構成する繊維強化樹脂製部品を、少なくとも一つ有するストラドルドビークル右側外表面部と、
を備えたストラドルドビークルであって、
前記ストラドルドビークル左側外表面部は、前記繊維強化樹脂層の最左外層と車両左側外表面との間に、前記樹脂と一体形成され、且つ、前記車両左側外表面が擦れた際に磨耗し、前記車両を左方向から見て、前記車両の左右方向の厚みが相対的に大きい部分と小さい部分とを含むストラドルドビークル左側磨耗許容層を有し、かつ、
前記ストラドルドビークル右側外表面部は、前記繊維強化樹脂層の最右外層と車両右側外表面との間に、前記樹脂と一体形成され、且つ、前記車両右側外表面が擦れた際に磨耗し、前記車両を右方向から見て、前記車両の左右方向の厚みが相対的に大きい部分と小さい部分とを含むストラドルドビークル右側磨耗許容層を有する、ストラドルドビークル。
【請求項２】
請求項１に記載のストラドルドビークルにおいて、
前記車両を左方向から見て、前記ストラドルドビークル左側磨耗許容層のうち、前記シートに乗員が着座した状態で該乗員の下半身が接触する少なくとも一部が、前記相対的に厚みが大きい部分であり、且つ、
前記車両を右方向から見て、前記ストラドルドビークル右側磨耗許容層のうち、前記シートに乗員が着座した状態で該乗員の下半身が接触する少なくとも一部が、前記相対的に厚みが大きい部分である、ストラドルドビークル。
【請求項３】
請求項１または２に記載のストラドルドビークルにおいて、
前記ストラドルドビークル左側磨耗許容層及び前記ストラドルドビークル右側磨耗許容層の少なくとも一方は、前記車両の前後方向において、厚みが相対的に大きい部分と小さい部分とを有する、ストラドルドビークル。
【請求項４】
請求項１から３のいずれか一つに記載のストラドルドビークルにおいて、
前記ストラドルドビークル左側磨耗許容層及び前記ストラドルドビークル右側磨耗許容層の少なくとも一方は、前記車両の上下方向において、厚みが相対的に大きい部分と小さい部分とを有する、ストラドルドビークル。
【請求項５】
請求項１から４のいずれか一つに記載のストラドルドビークルにおいて、
前記ストラドルドビークル左側磨耗許容層と前記車両左側外表面との間、及び、前記ストラドルドビークル右側磨耗許容層と前記車両右側外表面との間の少なくとも一方に、表面保護層が設けられている、ストラドルドビークル。
【請求項６】
請求項１から５のいずれか一つに記載のストラドルドビークルにおいて、
前記ストラドルドビークル左側磨耗許容層及び前記ストラドルドビークル右側磨耗許容層の少なくとも一方は、前記樹脂と一体化されたインサート部材をさらに含む、ストラドルドビークル。
【発明の詳細な説明】
【技術分野】
【０００１】
本発明は、ストラドルドビークルに関する。
【背景技術】
【０００２】
ストラドルドビークルの軽量化が要求されている。ストラドルドビークルの軽量化を図るために、例えば、繊維強化樹脂によって構成された部品を備えたストラドルドビークルが提案されている。繊維強化樹脂によって構成された部品を備えたストラドルドビークルとして、例えば特許文献１に開示されている自動二輪車が知られている。【０００３】
前記特許文献１に開示されている自動二輪車は、アウターカウルの接合端部に、該アウターカウルの車両内方に配置されるインナーカウルの接合端部が接合されたカウル構造を有する。このカウル構造では、アウターカウルがシート状のカーボン繊維によって強化された樹脂からなり、インナーカウルが合成樹脂のインジェクション成形により形成されている。【０００４】
前記特許文献１に開示されている構成では、アウターカウルの強度増大を図りつつ全体の軽量化を図ることができる。
【先行技術文献】
【特許文献】
【０００５】
【特許文献１】特開２００５−２７１８４９号公報
【発明の概要】
【発明が解決しようとする課題】
【０００６】
本発明者は、ストラドルドビークルの部品を繊維強化樹脂によって構成することについて、軽量化だけではなく耐久性の観点からも検討した。その結果、軽量化及び耐久性の両方を考慮した場合、ストラドルドビークルにおける繊維強化樹脂製の部品の採用が難しいことが分かった。【０００７】
本発明は、ストラドルドビークルにおいて、軽量化及び耐久性の両立を図りつつ、繊維強化樹脂製の部品を採用可能な構成を得ることを目的とする。
【課題を解決するための手段】
【０００８】
本発明者は、鋭意検討の結果、軽量化及び耐久性を考慮した場合、ストラドルドビークルにおける繊維強化樹脂製の部品の採用が難しいことが分かった。【０００９】
その理由は、以下のとおりである。【００１０】
まず、本発明者は、ストラドルドビークルに多くの繊維強化樹脂製の部品を採用することにより、車両を軽量化できると考えた。そのため、本発明者は、ストラドルドビークルの様々な部品を、繊維強化樹脂製の部品に置き換えることを検討した。その検討の過程において、本発明者は、繊維強化樹脂製の部品の耐久性について検討した。検討の結果、繊維強化樹脂製の部品が磨耗した場合、内部の繊維が露出することが分かった。【００１１】
これに対し、本発明者は、繊維強化樹脂製の部品の耐久性を確保できるように、該部品の表面に塗装を厚く塗布することを考えた。このように繊維強化樹脂製の部品の表面に塗装を厚く塗布することにより、繊維強化樹脂製の部品が磨耗して繊維が露出することを抑制できた。しかしながら、このように繊維強化樹脂製の部品の表面に塗装を厚く塗布した場合には、繊維強化樹脂製の部品であるにもかかわらず、十分な軽量化の効果が得られないことが分かった。すなわち、繊維強化樹脂製の部品では、軽量化及び耐久性の両立を図ることは難しいことが分かった。【００１２】
本発明者は、繊維強化樹脂製の部品の耐久性について、繰り返し検討を行った。その結果、以下のことが分かった。【００１３】
ストラドルドビークルは、乗員が跨って乗る乗り物である。そのため、ストラドルドビークルに用いられる部品のうち、磨耗が促進される部分は、車両の右側面または左側面で、且つ、シートに着座した乗員の下半身が接触する部分であることが分かった。また、乗員に限らず、荷ひも、ヘルメット及びバッグなどの付属品が車両に接触する部分でも、前記部品の磨耗が促進されることも分かった。【００１４】
さらに、前記磨耗が促進される部分は、ストラドルドビークルの車種毎に決まることも分かった。【００１５】
このように磨耗が促進される部分が予め分かっていれば、前記部品を繊維強化樹脂によって構成した場合に、表面に塗装を施すのではなく、繊維強化樹脂製の部品において樹脂を部分的に厚くすることにより、前記部品の重量の増加を抑えつつ耐久性を向上できることが分かった。【００１６】
以上の検討結果に基づいて、本発明者は、ストラドルドビークルにおいて、繊維強化樹脂製の部品における繊維強化樹脂層の最外層よりも車両外方に磨耗許容層を設けるとともに、該磨耗許容層を、車両の左方向または右方向から見て、位置によって厚みが異なるように形成する構成を見出した。【００１７】
具体的には、本発明者は、以下のような構成に想到した。【００１８】
本発明の一実施形態に係るストラドルドビークルは、前輪と、後輪と、車両の左右方向の中央に位置し、乗員が着座するシートと、前記乗員が前記シートに着座した状態で左足を載せる左ステップと、前記乗員が前記シートに着座した状態で右足を載せる右ステップと、樹脂と該樹脂を強化する強化繊維とを含む繊維強化樹脂層を有し且つ少なくとも一部が前記車両の左側外表面を構成する繊維強化樹脂製部品を、少なくとも一つ有するストラドルドビークル左側外表面部と、樹脂と該樹脂を強化する強化繊維とを含む繊維強化樹脂層を有し且つ少なくとも一部が前記車両の右側外表面を構成する繊維強化樹脂製部品を、少なくとも一つ有するストラドルドビークル右側外表面部と、を備える。前記ストラドルドビークル左側外表面部は、前記繊維強化樹脂層の最左外層と車両左側外表面との間に、前記樹脂と一体形成され、且つ、前記車両左側外表面が擦れた際に磨耗し、前記車両を左方向から見て、前記車両の左右方向の厚みが相対的に大きい部分と小さい部分とを含むストラドルドビークル左側磨耗許容層を有し、かつ、前記ストラドルドビークル右側外表面部は、前記繊維強化樹脂層の最右外層と車両右側外表面との間に、前記樹脂と一体形成され、且つ、前記車両右側外表面が擦れた際に磨耗し、前記車両を右方向から見て、前記車両の左右方向の厚みが相対的に大きい部分と小さい部分とを含むストラドルドビークル右側磨耗許容層を有する。【００１９】
これにより、車両の左側外表面が、シートに着座した乗員の下半身と接触して擦れた場合、繊維強化樹脂層の最左外層と車両左側外表面との間に樹脂と一体形成されたストラドルドビークル左側磨耗許容層が磨耗する。また、車両の右側外表面が、シートに着座した乗員の下半身と接触して擦れた場合、繊維強化樹脂層の最右外層と車両右側外表面との間に樹脂と一体形成されたストラドルドビークル右側磨耗許容層が磨耗する。よって、繊維強化樹脂層が磨耗して強化繊維が露出することを防止できる。【００２０】
しかも、上述の構成では、前記ストラドルドビークル左側磨耗許容層は、繊維強化樹脂製部品を少なくとも一つ有するストラドルドビークル左側外表面部の全てに形成されているのではなく、車両を左方向から見て、前記車両の左右方向の厚みが相対的に大きい部分と小さい部分とを含むように形成されている。これにより、前記ストラドルドビークル左側外表面部の全てに前記ストラドルドビークル左側磨耗許容層を設ける場合に比べて、車両の重量の増加を抑制することができる。また、前記ストラドルドビークル右側磨耗許容層は、繊維強化樹脂製部品を少なくとも一つ有するストラドルドビークル右側外表面部の全てに形成されているのではなく、車両を右方向から見て、前記車両の左右方向の厚みが相対的に大きい部分と小さい部分とを含むように形成されている。これにより、前記ストラドルドビークル右側外表面部の全てに前記ストラドルドビークル右側磨耗許容層を設ける場合に比べて、車両の重量の増加を抑制することができる。【００２１】
したがって、上述の構成により、車両の重量の増加を抑制しつつ、繊維強化樹脂製の部品の耐久性を向上させることができる。【００２２】
他の観点によれば、本発明のストラドルドビークルは、以下の構成を含むことが好ましい。前記車両を左方向から見て、前記ストラドルドビークル左側磨耗許容層のうち、前記シートに乗員が着座した状態で該乗員の下半身が接触する少なくとも一部が、前記相対的に厚みが大きい部分であり、且つ、前記車両を右方向から見て、前記ストラドルドビークル右側磨耗許容層のうち、前記シートに乗員が着座した状態で該乗員の下半身が接触する少なくとも一部が、前記相対的に厚みが大きい部分である。これにより、乗員がストラドルドビークルのシートに着座した状態で、乗員の下半身が接触する部分が磨耗して強化繊維が露出することをより確実に防止できる。【００２３】
他の観点によれば、本発明のストラドルドビークルは、以下の構成を含むことが好ましい。前記ストラドルドビークル左側磨耗許容層及び前記ストラドルドビークル右側磨耗許容層の少なくとも一方は、前記車両の前後方向において、厚みが相対的に大きい部分と小さい部分とを有する。また、他の観点によれば、本発明のストラドルドビークルは、以下の構成を含むことが好ましい。前記ストラドルドビークル左側磨耗許容層及び前記ストラドルドビークル右側磨耗許容層の少なくとも一方は、前記車両の上下方向において、厚みが相対的に大きい部分と小さい部分とを有する。【００２４】
上述の各構成により、車両の重量の増加をより抑制することができる。したがって、上述の構成により、車両の重量の増加をより抑制しつつ、繊維強化樹脂製の部品の耐久性を向上させることができる。【００２５】
他の観点によれば、本発明のストラドルドビークルは、以下の構成を含むことが好ましい。前記ストラドルドビークル左側磨耗許容層と前記車両左側外表面との間、及び、前記ストラドルドビークル右側磨耗許容層と前記車両右側外表面との間の少なくとも一方に、表面保護層が設けられている。これにより、ストラドルドビークル左側磨耗許容層及びストラドルドビークル右側磨耗許容層の少なくとも一方を表面保護層によって保護することができる。よって、ストラドルドビークル左側磨耗許容層及びストラドルドビークル右側磨耗許容層の少なくとも一方の表面が劣化したり損傷を受けたりすることを防止できる。【００２６】
他の観点によれば、本発明のストラドルドビークルは、以下の構成を含むことが好ましい。前記ストラドルドビークル左側磨耗許容層及び前記ストラドルドビークル右側磨耗許容層の少なくとも一方は、前記樹脂と一体化されたインサート部材をさらに含む。これにより、繊維強化樹脂製の部品において、ストラドルドビークル左側磨耗許容層及びストラドルドビークル右側磨耗許容層の少なくとも一方にインサート部材の特性を付与することができる。したがって、ストラドルドビークル左側磨耗許容層及びストラドルドビークル右側磨耗許容層の少なくとも一方において、多機能化及び機能向上の少なくとも一方を実現することができる。【００２７】
本明細書で使用される専門用語は、特定の実施例のみを定義する目的で使用されるのであって、前記専門用語によって発明を制限する意図はない。【００２８】
本明細書で使用される「及び／または」は、一つまたは複数の関連して列挙された構成物のすべての組み合わせを含む。【００２９】
本明細書において、「含む、備える（including）」「含む、備える（comprising）」または「有する（having）」及びそれらの変形の使用は、記載された特徴、工程、要素、成分、及び/または、それらの等価物の存在を特定するが、ステップ、動作、要素、コンポーネント、及び/または、それらのグループのうちの１つまたは複数を含むことができる。【００３０】
本明細書において、「取り付けられた」、「接続された」、「結合された」、及び/または、それらの等価物は、広義の意味で使用され、“直接的及び間接的な”取り付け、接続及び結合の両方を包含する。さらに、「接続された」及び「結合された」は、物理的または機械的な接続または結合に限定されず、直接的または間接的な接続または結合を含むことができる。【００３１】
他に定義されない限り、本明細書で使用される全ての用語（技術用語及び科学用語を含む）は、本発明が属する技術分野の当業者によって一般的に理解される意味と同じ意味を有する。【００３２】
一般的に使用される辞書に定義された用語は、関連する技術及び本開示の文脈における意味と一致する意味を有すると解釈されるべきであり、本明細書で明示的に定義されていない限り、理想的または過度に形式的な意味で解釈されることはない。【００３３】
本発明の説明においては、いくつもの技術および工程が開示されていると理解される。これらの各々は、個別の利益を有し、他に開示された技術の１つ以上、または、場合によっては全てと共に使用することもできる。【００３４】
したがって、明確にするために、本発明の説明では、不要に個々のステップの可能な組み合わせをすべて繰り返すことを控える。しかしながら、本明細書及び特許請求の範囲は、そのような組み合わせがすべて本発明の範囲内であることを理解して読まれるべきである。【００３５】
本明細書では、本発明に係るストラドルドビークルの実施形態について説明する。【００３６】
以下の説明では、本発明の完全な理解を提供するために多数の具体的な例を述べる。しかしながら、当業者は、これらの具体的な例がなくても本発明を実施できることが明らかである。【００３７】
よって、以下の開示は、本発明の例示として考慮されるべきであり、本発明を以下の図面または説明によって示される特定の実施形態に限定することを意図するものではない。【００３８】
＜繊維強化樹脂層の最外層の定義＞
繊維強化樹脂層の最外層とは、車両の内外方向において繊維強化樹脂層の最も外側に位置する部分を意味する。繊維強化樹脂層は、樹脂内に強化繊維を含む層である。そのため、前記最外層は、樹脂内に強化繊維を含む層のうち、車両の内外方向において繊維強化樹脂層の最も外側の部分を含む領域である。最左外層は、樹脂内に強化繊維を含む層のうち、車両の最も左側に位置する部分を含む領域である。最右外層は、樹脂内に強化繊維を含む層のうち、車両の最も右側に位置する部分を含む領域である。【００３９】
＜磨耗許容層の定義＞
磨耗許容層は、樹脂と強化繊維とを含む繊維強化樹脂層において、外表面により近い部分に位置し、前記繊維強化樹脂層の樹脂のみからなる層である。すなわち、磨耗許容層は、前記繊維強化樹脂層の樹脂と一体形成されている。なお、一体形成とは、磨耗許容層が、繊維強化樹脂層の樹脂、または、該樹脂と一体化された樹脂によって構成されていることを意味する。【００４０】
＜乗員の下半身の定義＞
乗員の下半身とは、乗員の腰から下の部分を意味する。【００４１】
＜表面保護層の定義＞
表面保護層は、例えば、シール、塗装、めっき、表面に配置された金属部品、防水層など、繊維強化樹脂製の部品の外表面に設けられた部材または層を意味する。前記表面保護層は、前記部品の表面が損傷を受けることを防止する部材または層に限らず、前記部品の表面の意匠性を向上する部材または層も含む。【００４２】
本発明の適用対象は、自動二輪車に限らない。本発明は、自動二輪車以外のリーン車両に適用してもよい。リーン車両とは、右旋回時に車両の右方に傾斜し、左旋回時に車両の左方に傾斜する車体フレームを有する車両である。また、本発明は、自動二輪車以外のストラドルドビークルに適用してもよい。なお、ストラドルドビークルとは、乗員が鞍にまたがるような状態で乗車する車両全般を指している。ストラドルドビークルは、スクータータイプの車両を含む。
【発明の効果】
【００４３】
本発明の一実施形態によれば、ストラドルドビークルにおいて、軽量化及び耐久性の両立を図りつつ、繊維強化樹脂製の部品を採用可能な構成が得られる。
【図面の簡単な説明】
【００４４】
【図１】図１は、本発明の実施形態に係る車両の全体構成の概略を示す左側面図である。
【図２】図２は、車両に乗員が跨った状態の左側面図及び右側面図、乗員の下半身が車両に接触する部分におけるＡ−Ａ線、Ｂ−Ｂ線、Ｃ−Ｃ線、Ｄ−Ｄ線、Ａ’−Ａ’線、Ｂ’−Ｂ’線、Ｃ’−Ｃ’線、Ｄ’−Ｄ’線の各断面を示す図である。
【図３】図３は、車両に乗員が跨った状態の左側面図、及び、乗員の下半身が車両に接触する部分におけるＡ−Ａ線、Ｂ−Ｂ線の各断面を示す図である。
【図４】図４は、車両に乗員が跨った状態の右側面図、及び、乗員の下半身が車両に接触する部分におけるＡ’−Ａ’線、Ｂ’−Ｂ’線の各断面を示す図である。
【図５】図５は、車両に乗員が跨った状態の左側面図、及び、乗員の下半身が車両に接触する部分におけるＣ−Ｃ線、Ｄ−Ｄ線の各断面を示す図である。
【図６】図６は、車両に乗員が跨った状態の右側面図、及び、乗員の下半身が車両に接触する部分におけるＣ’−Ｃ’線、Ｄ’−Ｄ’線の各断面を示す図である。
【図７】図７は、車両に乗員が跨った状態の上面図、及び、Ｃ−Ｃ線、Ｄ−Ｄ線、Ｃ’−Ｃ’線、Ｄ’−Ｄ’線における車両の外表面側の各断面を示す図である。
【図８】図８は、その他の実施形態に係る車両に乗員が跨った状態の左側面図、及び、乗員の下半身が車両に接触する部分におけるＡ−Ａ線、Ｂ−Ｂ線、Ｃ−Ｃ線、Ｄ−Ｄ線の各断面を示す図である。
【図９】図９は、その他の実施形態に係る車両に乗員が跨った状態の右側面図、及び、乗員の下半身が車両に接触する部分におけるＡ’−Ａ’線、Ｂ’−Ｂ’線、Ｃ’−Ｃ’線、Ｄ’−Ｄ’線の各断面を示す図である。
【図１０】図１０は、その他の実施形態に係る車両に乗員が跨った状態の左側面図、及び、乗員の下半身が車両に接触する部分におけるＡ−Ａ線、Ｂ−Ｂ線、Ｃ−Ｃ線、Ｄ−Ｄ線の各断面を示す図である。
【図１１】図１１は、その他の実施形態に係る車両に乗員が跨った状態の右側面図、及び、乗員の下半身が車両に接触する部分におけるＡ’−Ａ’線、Ｂ’−Ｂ’線、Ｃ’−Ｃ’線、Ｄ’−Ｄ’線の各断面を示す図である。
【発明を実施するための形態】
【００４５】
以下で、実施形態について、図面を参照しながら説明する。各図において、同一部分には同一の符号を付して、その同一部分の説明は繰り返さない。なお、各図中の構成部材の寸法は、実際の構成部材の寸法及び各構成部材の寸法比率等を忠実に表したものではない。
【００４６】
以下、図中の矢印Ｆは、車両の前方向を示す。図中の矢印Ｕは、車両の上方向を示す。図中の矢印Ｌは、車両の左方向を示す。図中の矢印Ｒは、車両の右方向を示す。また、以下の説明において前後左右の方向は、それぞれ、車両を運転する乗員から見た場合の前後左右の方向を意味する。
【００４７】
＜全体構成＞
図１は、実施形態に係る車両１（ストラドルドビークル）の全体構成の概略を示す左側面図である。図２は、車両１に乗員Ｐが跨った状態の左側面図及び右側面図、乗員Ｐの下半身が車両１に接触する部分におけるＡ−Ａ線、Ｂ−Ｂ線、Ｃ−Ｃ線、Ｄ−Ｄ線、Ａ’−Ａ’線、Ｂ’−Ｂ’線、Ｃ’−Ｃ’線、Ｄ’−Ｄ’線の各断面を示す。図３は、車両１に乗員Ｐが跨った状態の左側面図、及び、乗員Ｐの下半身が車両１に接触する部分におけるＡ−Ａ線、Ｂ−Ｂ線の各断面を示す。図４は、車両１に乗員Ｐが跨った状態の右側面図、及び、乗員Ｐの下半身が車両１に接触する部分におけるＡ’−Ａ’線、Ｂ’−Ｂ’線の各断面を示す。図５は、車両１に乗員Ｐが跨った状態の左側面図、及び、乗員Ｐの下半身が車両１に接触する部分におけるＣ−Ｃ線、Ｄ−Ｄ線の各断面を示す。図６は、車両１に乗員Ｐが跨った状態の右側面図、及び、乗員Ｐの下半身が車両１に接触する部分におけるＣ’−Ｃ’線、Ｄ’−Ｄ’線の各断面を示す。図７は、車両１に乗員Ｐが跨った状態の上面図、及び、Ｃ−Ｃ線、Ｄ−Ｄ線、Ｃ’−Ｃ’線、Ｄ’−Ｄ’線における車両１の外表面側の各断面を示す。
【００４８】
車両１は、例えば、自動二輪車であり、車体２と、前輪３と、後輪４とを備える。車両１は、傾斜姿勢で旋回する。すなわち、車両１は、左方向に旋回する際に左方向に傾斜し、右方向に旋回する際に右方向に傾斜する。
【００４９】
車体２は、車体カバー５、ハンドル６、シート７、燃料タンク８及びパワーユニット９等の各構成部品を支持する。本実施形態では、車体２は、フレーム１０を含み、車両１の各構成部品を支持する。車体２は、図２に示すように、車両１の左側外表面（以下、車両左側外表面）を構成するストラドルドビークル左側外表面部２ａと、車両１の右側外表面（以下、車両右側外表面）を構成するストラドルドビークル右側外表面部２ｂとを有する。
【００５０】
フレーム１０は、図１に示すように、ヘッドパイプ１１と、メインフレーム１２と、シートレール１３とを有する。フレーム１０は、炭素繊維によって樹脂（例えば、エポキシ樹脂、ビニルエステル、フェノール樹脂、ポリアミド、ポリプロピレン、ポリフェニレンサルファイドなど）が強化された炭素繊維強化樹脂によって構成されている。
【００５１】
なお、本実施形態では、フレーム１０のうち、少なくともメインフレーム１２が前記炭素繊維強化樹脂によって構成されている。すなわち、本実施形態では、メインフレーム１２は、樹脂と該樹脂を強化する炭素繊維（強化繊維）とを含む炭素繊維強化樹脂層（繊維強化樹脂層）を有する繊維強化樹脂製の部品である。
【００５２】
ヘッドパイプ１１は、車両１の前側に位置し、ハンドル６に接続された図示しないステアリングシャフトを回転可能に支持する。
【００５３】
メインフレーム１２は、前部がヘッドパイプ１１に接続されているとともに、車両後方に延びる形状を有する。メインフレーム１２の後部は、車両後方且つ下方に向かって延びている。メインフレーム１２には、パワーユニット９等が支持されている。
【００５４】
メインフレーム１２の上側には、燃料タンク８が固定されている。車両１の左右方向において、メインフレーム１２の表面上の少なくとも一部には、車体カバー５の一部が固定されている。すなわち、メインフレーム１２のうち、燃料タンク８の下方に位置する部分は、車体カバー５の一部によって覆われている。なお、メインフレーム１２の下端部且つ後端部は、車体カバー５等に覆われることなく露出している。すなわち、メインフレーム１２は、少なくとも一部が車両１の左右方向の外表面を構成する。よって、ストラドルドビークル左側外表面部２ａ及びストラドルドビークル右側外表面部２ｂは、それぞれ、炭素繊維強化樹脂層を有し、少なくとも一部が車両左側外表面及び車両右側外表面を構成するメインフレーム１２を含む。
【００５５】
図２及び図７に示すように、メインフレーム１２の下端部且つ後端部には、左ステップ１５及び右ステップ２５が固定されている。左ステップ１５及び右ステップ２５は、乗員が車両１に跨った状態で、該乗員の足底を支える。左ステップ１５には、図７に示すように、乗員Ｐがシート７に着座した状態で右足が載せられる。右ステップ２５には、乗員Ｐがシート７に着座した状態で右足が載せられる。
【００５６】
図１に示すように、メインフレーム１２には、左ステップ１５よりも上方の位置に、左ヒールガード１４が固定されている。また、メインフレーム１２には、図２に示すように、右ステップ２５よりも上方の位置に、右ヒールガード２４が固定されている。左ヒールガード１４は、図５に示すように、車両１に跨った乗員が、左ステップ１５上に足を置いた際に、乗員の左足が接触する。すなわち、左ヒールガード１４は、乗員Ｐがシート７に着座した状態で左足が接触する。右ヒールガード２４は、図６に示すように、車両１に跨った乗員が、右ステップ２５上に足を置いた際に、乗員の右足が接触する。すなわち、右ヒールガード２４は、乗員Ｐがシート７に着座した状態で右足が接触する。
【００５７】
図１に示すように、シートレール１３は、メインフレーム１２の後端部に接続されている。すなわち、シートレール１３は、メインフレーム１２の後端部から車両１の後方に向かって延びている。シートレール１３の上方には、車両１の左右方向の中央に位置し、乗員Ｐが着座するシート７が配置されている。シートレール１３の表面上の少なくとも一部には、車体カバー５の一部が固定されている。すなわち、シートレール１３は、少なくとも一部が車体カバー５によって覆われている。
【００５８】
車体カバー５は、フロントカバー２１と、サイドカバー２２と、リアカバー２３とを備える。フロントカバー２１及びサイドカバー２２は、メインフレーム１２に固定されている。フロントカバー２１は、車両１の前側で且つハンドル６及び燃料タンク８よりも下方に配置されている。サイドカバー２２は、フロントカバー２１よりも上方且つ後方に配置されている。サイドカバー２２は、燃料タンク８よりも下方且つ後方に配置されている。メインフレーム１２は、フロントカバー２１及びサイドカバー２２によって、少なくとも一部が覆われている。
【００５９】
リアカバー２３は、シートレール１３に固定されている。リアカバー２３は、前側部分がシート７よりも下方で且つ後方に配置されている。リアカバー２３は、車両１の後方に向かうほど上方に位置するように斜め上方に延びている。リアカバー２３は、シートレール１３を車両１の左右及び上方から覆っている。
【００６０】
本実施形態では、サイドカバー２２、リアカバー２３、左ヒールガード１４及び右ヒールガード２４は、炭素繊維によって樹脂（例えば、エポキシ樹脂、ビニルエステル、フェノール樹脂、ポリアミド、ポリプロピレン、ポリフェニレンサルファイドなど）が強化された炭素繊維強化樹脂によって構成されている。
【００６１】
また、本実施形態では、燃料タンク８は、金属製のタンク本体８ａの表面上に、上述の炭素繊維強化樹脂製の燃料タンク被覆部８ｂが設けられている。燃料タンク被覆部８ｂは、タンク本体８ａの外表面を覆うように設けられている。
【００６２】
サイドカバー２２、リアカバー２３、左ヒールガード１４、右ヒールガード２４及び燃料タンク被覆部８ｂをそれぞれ構成する前記炭素繊維強化樹脂は、炭素繊維が樹脂によって固められている。そのため、前記炭素繊維強化樹脂では、樹脂の内部に炭素繊維が位置付けられている。すなわち、前記炭素繊維強化樹脂は、炭素繊維が樹脂によって固められた炭素繊維層（繊維強化樹脂層）よりも外表面側及び内表面側にそれぞれ樹脂層を有する。
【００６３】
すなわち、本実施形態では、サイドカバー２２、リアカバー２３、左ヒールガード１４、右ヒールガード２４及び燃料タンク被覆部８ｂは、樹脂と該樹脂を強化する炭素繊維（強化繊維）とを含む炭素繊維層（繊維強化樹脂層）を有し、少なくとも一部が車両１の左側外表面及び右側外表面を構成する炭素繊維強化樹脂製の部品（繊維強化樹脂製の部品）である。ストラドルドビークル左側外表面部２ａは、サイドカバー２２、リアカバー２３、左ヒールガード１４、右ヒールガード２４及び燃料タンク被覆部８ｂのそれぞれ少なくとも一部を含む。ストラドルドビークル右側外表面部２ｂは、サイドカバー２２、リアカバー２３、左ヒールガード１４、右ヒールガード２４及び燃料タンク被覆部８ｂのそれぞれ少なくとも一部を含む。
【００６４】
サイドカバー２２は、図２及び図３に断面Ｂ−Ｂで示すように、炭素繊維層２２ａと、炭素繊維層２２ａの外表面側に設けられた外側樹脂層２２ｂと、炭素繊維層２２ａの内表面側に設けられた内側樹脂層２２ｃとを有する。炭素繊維層２２ａ、外側樹脂層２２ｂ及び内側樹脂層２２ｃは、サイドカバー２２における車両１の左側に位置する。
【００６５】
サイドカバー２２は、図２及び図４に断面Ｂ’−Ｂ’で示すように、炭素繊維層２２ｄと、炭素繊維層２２ｄの外表面側に設けられた外側樹脂層２２ｅと、炭素繊維層２２ｄの内表面側に設けられた内側樹脂層２２ｆとを有する。炭素繊維層２２ｄ、外側樹脂層２２ｅ及び内側樹脂層２２ｆは、サイドカバー２２における車両１の右側に位置する。
【００６６】
リアカバー２３は、前記断面Ｂ−Ｂで示すように、炭素繊維層２３ａと、炭素繊維層２３ａの外表面側に設けられた外側樹脂層２３ｂと、炭素繊維層２３ａの内表面側に設けられた内側樹脂層２３ｃとを有する。炭素繊維層２３ａ、外側樹脂層２３ｂ及び内側樹脂層２３ｃは、リアカバー２３における車両１の左側に位置する。
【００６７】
リアカバー２３は、前記断面Ｂ’−Ｂ’で示すように、炭素繊維層２３ｄと、炭素繊維層２３ｄの外表面側に設けられた外側樹脂層２３ｅと、炭素繊維層２３ｄの内表面側に設けられた内側樹脂層２３ｆとを有する。炭素繊維層２３ｄ、外側樹脂層２３ｅ及び内側樹脂層２３ｆは、リアカバー２３における車両１の右側に位置する。
【００６８】
左ヒールガード１４は、図２及び図５に断面Ｄ−Ｄで示すように、炭素繊維層１４ａと、炭素繊維層１４ａの外表面側に設けられた外側樹脂層１４ｂと、炭素繊維層１４ａの内表面側に設けられた内側樹脂層１４ｃとを有する。
【００６９】
右ヒールガード２４は、図２及び図６に断面Ｄ’−Ｄ’で示すように、炭素繊維層２４ａと、炭素繊維層２４ａの外表面側に設けられた外側樹脂層２４ｂと、炭素繊維層２４ａの内表面側に設けられた内側樹脂層２４ｃとを有する。
【００７０】
メインフレーム１２は、前記断面Ｄ−Ｄで示すように、炭素繊維層１２ａと、炭素繊維層１２ａの外表面側に設けられた外側樹脂層１２ｂと、炭素繊維層１２ａの内表面側に設けられた内側樹脂層１２ｃとを有する。炭素繊維層１２ａ、外側樹脂層１２ｂ及び内側樹脂層１２ｃは、メインフレーム１２における車両１の左側に位置する。
【００７１】
メインフレーム１２は、前記断面Ｄ’−Ｄ’で示すように、炭素繊維層１２ｄと、炭素繊維層１２ｄの外表面側に設けられた外側樹脂層１２ｅと、炭素繊維層１２ｄの内表面側に設けられた内側樹脂層１２ｆとを有する。炭素繊維層１２ｄ、外側樹脂層１２ｅ及び内側樹脂層１２ｆは、メインフレーム１２における車両１の右側に位置する。
【００７２】
本実施形態では、メインフレーム１２において、炭素繊維層１２ａ，１２ｄは、一体に形成されている。メインフレーム１２において、外側樹脂層１２ｂ，１２ｅは、一体に形成されている。メインフレーム１２において、内側樹脂層１２ｃ，１２ｆは、一体に形成されている。
【００７３】
燃料タンク被覆部８ｂは、図２及び図３に断面Ａ−Ａで示すとともに図２及び図５に断面Ｃ−Ｃで示すように、炭素繊維層８ｃと、炭素繊維層８ｃの外表面側に設けられた外側樹脂層８ｄと、炭素繊維層８ｃの内表面側に設けられた内側樹脂層８ｅとを有する。炭素繊維層８ｃ、外側樹脂層８ｄ及び内側樹脂層８ｅは、燃料タンク８における車両１の左側に位置する。
【００７４】
燃料タンク被覆部８ｂは、図２及び図４に断面Ａ’−Ａ’で示すとともに図２及び図６に断面Ｃ’−Ｃ’で示すように、炭素繊維層８ｆと、炭素繊維層８ｆの外表面側に設けられた外側樹脂層８ｇと、炭素繊維層８ｆの内表面側に設けられた内側樹脂層８ｈとを有する。炭素繊維層８ｆ、外側樹脂層８ｇ及び内側樹脂層８ｈは、燃料タンク８における車両１の右側に位置する。
【００７５】
本実施形態では、燃料タンク被覆部８ｂにおいて、炭素繊維層８ｃ，８ｆは、一体に形成されている。燃料タンク被覆部８ｂにおいて、外側樹脂層８ｄ，８ｇは、一体に形成されている。燃料タンク被覆部８ｂにおいて、内側樹脂層８ｅ，８ｈは、一体に形成されている。
【００７６】
なお、サイドカバー２２、リアカバー２３、左ヒールガード１４、右ヒールガード２４、メインフレーム１２及び燃料タンク被覆部８ｂにおける炭素繊維層２２ａ，２２ｄ，２３ａ，２３ｄ，１４ａ，２４ａ，１２ａ，１２ｄ，８ｃ，８ｆは、樹脂と前記樹脂を強化する炭素繊維（強化繊維）とを含む繊維強化樹脂層である。
【００７７】
また、サイドカバー２２、リアカバー２３、左ヒールガード１４、メインフレーム１２及び燃料タンク被覆部８ｂにおける外側樹脂層２２ｂ，２３ｂ，１４ｂ，１２ｂ，８ｄは、車両１の内外方向において、炭素繊維層２２ａ，２３ａ，１４ａ，１２ａ，８ｃ（繊維強化樹脂層）の最も左側に位置する層（以下、最左外層）と車両左側外表面との間に、樹脂と一体形成され、且つ、前記車両左側外表面が擦れた際に磨耗するストラドルドビークル左側磨耗許容層である。
【００７８】
さらに、サイドカバー２２、リアカバー２３、右ヒールガード２４、メインフレーム１２及び燃料タンク被覆部８ｂにおける外側樹脂層２２ｅ，２３ｅ，２４ｂ，１２ｅ，８ｇは、車両１の内外方向において、炭素繊維層２２ｄ，２３ｄ，２４ａ，１２ｄ，８ｆ（繊維強化樹脂層）の最も右側に位置する層（以下、最右外層）と車両右側外表面との間に、樹脂と一体形成され、且つ、前記車両右側外表面が擦れた際に磨耗するストラドルドビークル右側磨耗許容層である。
【００７９】
図２から図６に示すように、車両１に乗員Ｐが跨った状態では、乗員Ｐの下半身は、上述のサイドカバー２２、左ヒールガード１４、右ヒールガード２４及び燃料タンク被覆部８ｂの一部に接触する。このように車両１に跨った乗員Ｐの下半身が接触することによって、サイドカバー２２、左ヒールガード１４、右ヒールガード２４及び燃料タンク被覆部８ｂの一部は、ストラドルドビークル左側磨耗許容層である外側樹脂層２２ｂ，１４ｂ，８ｄ及びストラドルドビークル右側摩耗許容層である外側樹脂層２２ｅ，２４ｂ，８ｇの樹脂が徐々に磨耗する。
【００８０】
換言すれば、本実施形態に係る車両１では、乗員が車両１に跨った際に車両１において乗員Ｐの下半身が触れる部分（図２から図６における斜線部分）に、炭素繊維強化樹脂によって構成された部品が配置されている。このように、乗員の身体が触れる部分に炭素繊維強化樹脂製の部品が配置されている場合、上述のように乗員の身体との接触によって前記部品の樹脂の磨耗が促進される。
【００８１】
これに対し、前記部品の表面に塗装を施すことが考えられるが、塗装の耐久性を確保するために該塗装を厚く塗ると、炭素繊維強化樹脂製の部品を用いたにもかかわらず、十分な軽量化の効果が得られない。
【００８２】
そこで、本実施形態では、車両１の炭素繊維強化樹脂製の部品において、乗員Ｐが車両１に跨った際に乗員Ｐの下半身が接触する部分では、外表面に位置する外側樹脂層の厚みを大きくする。このように、炭素繊維強化樹脂製の部品において、外表面に位置する外側樹脂層の厚みを車両１の位置によって変えることにより、車両１の重量の増加を抑制しつつ、炭素繊維強化樹脂製の部品の耐久性を向上させることができる。
【００８３】
具体的には、図２から図６に示すように、車両１におけるサイドカバー２２、左ヒールガード１４、右ヒールガード２４及び燃料タンク被覆部８ｂのうち、乗員が車両１に跨った状態で、該乗員の下半身が接触する部分（図２から図６における斜線部分）では、他の部分に比べて、外表面に位置する外側樹脂層２２ｂ，２２ｅ，１４ｂ，２４ｂ，８ｄ，８ｇの厚みを大きくする。これにより、車両１を側方から見て、炭素繊維強化樹脂製の部品には、外表面に位置する外側樹脂層において車両左右方向の厚みが大きい部分と小さい部分とが存在する。
【００８４】
図２から図７に示すように、例えば、サイドカバー２２の外側樹脂層２２ｂ，２２ｅのうち、乗員が車両１に跨った状態で該乗員の下半身が接触する部分、すなわち、車両１の左右方向においてサイドカバー２２の端部における外側樹脂層２２ｂ，２２ｅの樹脂の厚みは、外側樹脂層２２ｂ，２２ｅの他の部分の厚みよりも大きい。すなわち、外側樹脂層２２ｂ，２２ｅは、車両１の左右方向においてサイドカバー２２の左右の端部に位置し、且つ、他の部分に比べて樹脂の厚みが大きい肉厚部２２ｇ，２２ｈを有する。肉厚部２２ｇ，２２ｈは、外側樹脂層２２ｂ，２２ｅにおいて、乗員Ｐが車両１に跨った状態で該乗員の下半身が接触する部分に設けられている。
【００８５】
外側樹脂層２２ｂ，２２ｅの肉厚部２２ｇ，２２ｈにおける樹脂の厚みは、内側樹脂層２２ｃの厚みよりも大きい。外側樹脂層２２ｂ，２２ｅの肉厚部２２ｇ，２２ｈにおける樹脂の厚みは、乗員が車両１に跨った状態で該乗員の下半身が接触しないリアカバー２３及びメインフレーム１２の外側樹脂層２３ｂ，２３ｅ，１２ｂ，１２ｅにおける樹脂の厚みよりも大きい。
【００８６】
同様に、図２、図５及び図７に示すように、左ヒールガード１４の外側樹脂層１４ｂのうち、乗員が車両１に跨った状態で該乗員の下半身が接触する部分、すなわち、車両１の左右方向において左ヒールガード１４の端部における外側樹脂層１４ｂの樹脂の厚みは、外側樹脂層１４ｂの他の部分の厚みよりも大きい。すなわち、外側樹脂層１４ｂは、車両１の左右方向において左ヒールガード１４の端部に位置し、且つ、他の部分に比べて樹脂の厚みが大きい肉厚部１４ｄを有する。肉厚部１４ｄは、外側樹脂層１４ｂにおいて、乗員が車両１に跨った状態で該乗員の下半身が接触する部分に設けられている。
【００８７】
外側樹脂層１４ｂの肉厚部１４ｄにおける樹脂の車両左右方向の厚みは、乗員が車両１に跨った状態で該乗員の下半身が接触しないリアカバー２３及びメインフレーム１２の外側樹脂層２３ｂ，１２ｂにおける樹脂の厚みよりも大きい。
【００８８】
また、図２、図６及び図７に示すように、右ヒールガード２４の外側樹脂層２４ｂのうち、乗員が車両１に跨った状態で該乗員の下半身が接触する部分、すなわち、車両１の左右方向において右ヒールガード２４の端部における外側樹脂層２４ｂの樹脂の厚みは、外側樹脂層２４ｂの他の部分の厚みよりも大きい。すなわち、外側樹脂層２４ｂは、車両１の左右方向において右ヒールガード２４の端部に位置し、且つ、他の部分に比べて樹脂の厚みが大きい肉厚部２４ｄを有する。肉厚部２４ｄは、外側樹脂層２４ｂにおいて、乗員が車両１に跨った状態で該乗員の下半身が接触する部分に設けられている。
【００８９】
外側樹脂層２４ｂの肉厚部２４ｄにおける樹脂の車両左右方向の厚みは、乗員が車両１に跨った状態で該乗員の下半身が接触しないリアカバー２３及びメインフレーム１２の外側樹脂層２３ｅ，１２ｅにおける樹脂の厚みよりも大きい。
【００９０】
図２から図７に示すように、燃料タンク被覆部８ｂの外側樹脂層８ｄ，８ｇのうち、乗員が車両１に跨った状態で該乗員の下半身が接触する部分、すなわち、車両１の左右方向において燃料タンク被覆部８ｂの端部における外側樹脂層８ｄ，８ｇの樹脂の厚みは、外側樹脂層８ｄ，８ｇの他の部分の厚みよりも大きい。すなわち、外側樹脂層８ｄ，８ｇは、車両１の左右方向において燃料タンク被覆部８ｂの端部に位置し、且つ、他の部分に比べて樹脂の厚みが大きい肉厚部８ｉ，８ｊを有する。肉厚部８ｉ，８ｊは、外側樹脂層８ｄ，８ｇにおいて、乗員が車両１に跨った状態で該乗員の下半身が接触する部分に設けられている。
【００９１】
本実施形態の場合、乗員が車両１に跨った状態では、乗員の下半身は、車両１の前後方向において燃料タンク被覆部８ｂの後部で、且つ、車両１の上下方向において燃料タンク被覆部８ｂの下部に接触する。そのため、燃料タンク被覆部８ｂの肉厚部８ｉ，８ｊは、車両１の前後方向において燃料タンク被覆部８ｂの後部で、且つ、車両１の上下方向において燃料タンク被覆部８ｂの下部に設けられている。
【００９２】
なお、図２から図４及び図７に示すように、本実施形態では、燃料タンク８は、乗員Ｐが車両１に跨った状態で該乗員の下半身が位置付けられる部分に、車両１の後方に向かうほど車両１の左右方向の寸法が小さくなるように該左右方向に凹んだ形状を有する。燃料タンク被覆部８ｂの肉厚部８ｉ，８ｊは、車両１の後方に向かうほど車両１の左右方向の外形寸法が小さくなるとともに、車両１の後方に向かうほど厚みが大きくなるように形成されている（図２及び図３の断面Ａ−Ａ及び図２及び図４の断面Ａ’−Ａ’参照）。
【００９３】
以上より、本実施形態では、車両１に設けられた炭素繊維強化樹脂製の部品において、乗員Ｐが車両１に跨った状態で該乗員の下半身が接触する部分の外表面に位置する樹脂の厚みは、該乗員の下半身が接触しない部分の厚みに比べて大きい。これにより、乗員が車両１に跨った状態で該乗員の下半身が接触することにより前記炭素繊維強化樹脂製の部品の樹脂が磨耗して炭素繊維が露出することを防止できる。
【００９４】
本実施形態では、炭素繊維強化樹脂製の部品における外側樹脂層は、車両１の前後方向において、車両１の左右方向の厚みが相対的に大きい部分と小さい部分とを有する（図２から図４及び図７参照）。このように、炭素繊維強化樹脂製の部品において、外表面に位置する外側樹脂層の厚みを車両１の位置によって変えることにより、車両１の重量の増加を抑制しつつ、炭素繊維強化樹脂製の部品の耐久性を向上させることができる。
【００９５】
また、本実施形態では、炭素繊維強化樹脂製の部品における外側樹脂層は、車両１の上下方向において、車両１の左右方向の厚みが相対的に大きい部分と小さい部分とを有する（図２、図５及び図６参照）。このように、炭素繊維強化樹脂製の部品において、外表面に位置する外側樹脂層の厚みを車両１の位置によって変えることにより、車両１の重量の増加を抑制しつつ、炭素繊維強化樹脂製の部品の耐久性を向上させることができる。
【００９６】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【００９７】
前記実施形態では、車両１に設けられた炭素繊維強化樹脂製の部品において、乗員Ｐが車両１に跨った状態で乗員Ｐの下半身が接触する部分の外表面に位置する樹脂の厚みは、乗員Ｐの下半身が接触しない部分の厚みに比べて大きい。しかしながら、前記炭素繊維強化樹脂製の部品において、荷ひも、ヘルメット及びバッグなどの付属品が車両に接触する部分の外表面に位置する樹脂（外側樹脂層）の厚みを、前記付属品が接触しない部分の厚みに比べて大きくしてもよい。例えば、リアカバー２３において、前記付属品等が接触する部分の外表面に位置する外側樹脂層の厚みを、前記付属品が接触しない部分の厚みに比べて大きくしてもよい。
【００９８】
前記実施形態では、炭素繊維強化樹脂によって構成されたメインフレーム１２、サイドカバー２２、リアカバー２３、左ヒールガード１４、右ヒールガード２４及び燃料タンク被覆部８ｂは、外側樹脂層１２ｂ，１２ｅ，２２ｂ，２２ｅ，２３ｂ，２３ｅ，１４ｂ，２４ｂ，８ｄ，８ｇが車両１の外表面を構成している。しかしながら、図８に示すように、外側樹脂層２２ｂ，１４ｂ，８ｄの外表面上に、炭素繊維強化樹脂とは別部材の表面保護層２２ｉ，１４ｅ，８ｋが設けられていてもよい。表面保護層は、例えば、シール、塗装、めっき、金属、防水層等によって構成される。これにより、ストラドルドビークル左側磨耗許容層である外側樹脂層を表面保護層によって保護することができる。すなわち、表面保護層によって、外側樹脂層の表面が劣化したり損傷を受けたりすることを防止できる。
【００９９】
なお、図８では、サイドカバー２２、左ヒールガード１４及び燃料タンク被覆部８ｂの車両左側外表面上、すなわち外側樹脂層２２ｂ，１４ｂ，８ｄの外表面上に、表面保護層２２ｉ，１４ｅ，８ｋが設けられている。しかしながら、図９に示すように、サイドカバー２２、右ヒールガード２４及び燃料タンク被覆部８ｂの車両右側外表面上に、表面保護層２２ｊ，２４ｅ，８ｍが設けられていてもよい。これにより、ストラドルドビークル右側磨耗許容層である外側樹脂層を表面保護層によって保護することができる。すなわち、表面保護層によって、外側樹脂層の表面が劣化したり損傷を受けたりすることを防止できる。また、他の構成部品の外表面上に表面保護層が設けられていてもよい。
【０１００】
前記実施形態では、メインフレーム１２、サイドカバー２２、リアカバー２３、左ヒールガード１４、右ヒールガード２４及び燃料タンク被覆部８ｂは、外側樹脂層１２ｂ，１２ｅ，２２ｂ，２２ｅ，２３ｂ，２３ｅ，１４ｂ，２４ｂ，８ｄ，８ｇが、炭素繊維強化樹脂の樹脂によって構成されている。しかしながら、図１０に示すように、外側樹脂層２２ｂ，１４ｂ，８ｄに、炭素繊維強化樹脂の樹脂と一体化されたインサート部材２２ｋ，１４ｆ，８ｎが含まれていてもよい。インサート部材は、フィルム、ブロック、金属板、耐磨耗繊維（アラミド、ポリエチレン繊維、ポリアリレートなど）が含まれる。また、インサート部材は、炭素繊維強化樹脂の樹脂と化学結合した部材、及び、炭素繊維強化樹脂と構造的に結合するように界面を有する部材等も含む。このように外側樹脂層がインサート部を含むことにより、繊維強化樹脂製の部品において、外側樹脂層にインサート部材の特性を付与することができる。したがって、外側樹脂層の多機能化及び機能向上の少なくも一方を実現することができる。
【０１０１】
なお、図１０では、サイドカバー２２、左ヒールガード１４及び燃料タンク被覆部８ｂの外側樹脂層２２ｂ，１４ｂ，８ｄにインサート部材２２ｋ，１４ｆ，８ｎが含まれている。しかしながら、図１１に示すように、サイドカバー２２、右ヒールガード２４及び燃料タンク被覆部８ｂの外側樹脂層２２ｅ，２４ｂ，８ｇに、インサート部材２２ｍ，２４ｆ，８ｐが設けられていてもよい。また、外側樹脂層を有する他の構成部品の該外側樹脂層内にインサート部材が含まれていてもよい。これにより、繊維強化樹脂製の部品において、外側樹脂層にインサート部材の特性を付与することができる。したがって、外側樹脂層の多機能化及び機能向上の少なくも一方を実現することができる。
【０１０２】
また、炭素繊維強化樹脂製の部品の外側樹脂層に、上述の表面保護層及びインサート部材の両方を設けてもよい。
【０１０３】
前記実施形態では、ストラドルドビークル左側磨耗許容層及びストラドルドビークル右側磨耗許容層としての外側樹脂層は、それぞれ、車両を左右方向から見て、前記車両の左右方向の厚みが相対的に大きい部分と小さい部分とを含む。しかしながら、ストラドルドビークル左側磨耗許容層としての外側樹脂層及びストラドルドビークル右側磨耗許容層としての外側樹脂層のうち少なくとも一方が、車両の左右方向の厚みが相対的に大きい部分と小さい部分とを有していてもよい。
【０１０４】
前記実施形態では、ストラドルドビークル左側磨耗許容層及びストラドルドビークル右側磨耗許容層としての外側樹脂層は、車両の前後方向及び上下方向において、車両の左右方向の厚みが相対的に大きい部分と小さい部分とを有する。しかしながら、外側樹脂層は、車両１の前後方向または上下方向の一方のみに、厚みが相対的に大きい部分と小さい部分とがあってもよい。ストラドルドビークル左側磨耗許容層としての外側樹脂層及びストラドルドビークル右側磨耗許容層としての外側樹脂層のうち少なくとも一方が、車両の前後方向において、前記車両の左右方向の厚みが相対的に大きい部分と小さい部分とを有していてもよい。ストラドルドビークル左側磨耗許容層としての外側樹脂層及びストラドルドビークル右側磨耗許容層としての外側樹脂層のうち少なくとも一方が、車両の上下方向において、前記車両の左右方向の厚みが相対的に大きい部分と小さい部分とを有していてもよい。車両の前後方向または上下方向において、外側樹脂層の厚みは同じであってもよい。車両に乗員が跨った状態で乗員の下半身及び荷ひも等が接触する部分における外側樹脂層の厚みが、乗員の下半身及び荷ひも等が接触しない部分における外側樹脂層の厚みよりも大きければよい。
【０１０５】
前記実施形態では、メインフレーム１２、サイドカバー２２、リアカバー２３、左ヒールガード１４、右ヒールガード２４及び燃料タンク被覆部８ｂは、炭素繊維によって樹脂が強化された炭素繊維強化樹脂によって構成されている。しかしながら、メインフレーム１２、サイドカバー２２、リアカバー２３、左ヒールガード１４、右ヒールガード２４及び燃料タンク被覆部８ｂを、炭素繊維以外の繊維（例えば、アラミド繊維、ポリエチレン繊維、ガラス繊維など）によって樹脂が強化された繊維強化樹脂によって構成してもよい。また、前記実施形態では、メインフレーム１２、サイドカバー２２、リアカバー２３、左ヒールガード１４、右ヒールガード２４及び燃料タンク被覆部８ｂは、エポキシ樹脂、ビニルエステル、フェノール樹脂、ポリアミド、ポリプロピレン、ポリフェニレンサルファイドなどの樹脂によって構成されている。樹脂は、繊維によって強化可能な樹脂であれば、他の種類の樹脂であってもよい。
【０１０６】
前記実施形態では、メインフレーム１２、サイドカバー２２、リアカバー２３、左ヒールガード１４、右ヒールガード２４及び燃料タンク被覆部８ｂは、炭素繊維強化樹脂によって構成されている。しかしながら、メインフレーム１２、サイドカバー２２、リアカバー２３、左ヒールガード１４、右ヒールガード２４及び燃料タンク被覆部８ｂは、どのような材料によって構成されていてもよい。すなわち、車両１の少なくとも一部の部品が繊維強化樹脂製であり、且つ、その繊維強化樹脂製の部品における磨耗許容層が、車両を左右方向から見て、厚みが相対的に大きい部分と小さい部分とを含んでいれば、本実施形態の構成には限定されない。
【０１０７】
前記実施形態では、フレーム１０のうち、メインフレーム１２が炭素繊維強化樹脂によって構成されている。しかしながら、メインフレーム１２だけでなく、シートレール１３も炭素繊維強化樹脂によって構成されていてもよい。
【０１０８】
前記実施形態では、車体カバー５のうち、サイドカバー２２及びリアカバー２３が炭素繊維強化樹脂によって構成されている。しかしながら、フロントカバー２１も炭素繊維強化樹脂によって構成されていてもよい。
【０１０９】
前記実施形態では、左ヒールガード１４及び右ヒールガード２４が炭素繊維強化樹脂によって構成されている。しかしながら、左ヒールガード及び右ヒールガードの一方のみが炭素繊維強化樹脂によって構成されていてもよい。また、車両１における左ヒールガード及び右ヒールガード以外の部品も炭素繊維強化樹脂によって構成されていてもよい。
【０１１０】
前記実施形態において、炭素繊維強化樹脂に用いられる炭素繊維は、繊維同士が編まれていてもよいし、編まれていない状態であってもよい。また、前記炭素繊維は、所定長さ（例えば１ｍｍ）以上、連続した繊維であってもよいし、不連続繊維であってもよい。前記炭素繊維として、連続した繊維及び不連続繊維を用いてもよい。
【０１１１】
前記実施形態では、車体２は、メインフレーム１２及びシートレール１３を有するフレーム構造である。しかしながら、車体２のフレームは、応力外皮構造を有していてもよい。
【０１１２】
前記実施形態では、フレーム１０は、ヘッドパイプ１１、メインフレーム１２及びシートレール１３を有する。しかしながら、フレーム１０は、ヘッドパイプ１１、メインフレーム１２及びシートレール１３以外のフレームを有していてもよい。
【符号の説明】
【０１１３】
１  車両（ストラドルドビークル）
２  車体
２ａ  ストラドルドビークル左側外表面部
２ｂ  ストラドルドビークル右側外表面部
３  前輪
４  後輪
５  車体カバー
７  シート
８  燃料タンク
８ａ  タンク本体
８ｂ  燃料タンク被覆部
８ｃ、８ｆ、１２ａ、１２ｄ、１４ａ、２２ａ、２２ｄ、２３ａ、２３ｄ、２４ａ  炭素繊維層（繊維強化樹脂層）
８ｄ、１２ｂ、１４ｂ、２２ｂ、２３ｂ  外側樹脂層（ストラドルドビークル左側磨耗許容層）
８ｇ、１２ｅ、２２ｅ、２３ｅ、２４ｂ  外側樹脂層（ストラドルドビークル右側磨耗許容層）
８ｅ、８ｈ、１２ｃ、１２ｆ、１４ｃ、２２ｃ、２２ｆ、２３ｃ、２３ｆ、２４ｃ  内側樹脂層
８ｉ，８ｊ、１４ｄ、２２ｇ、２２ｈ  肉厚部
８ｋ、８ｍ、１４ｅ、２２ｉ、２２ｊ、２４ｅ  表面保護層
８ｎ、８ｐ、１４ｆ、２２ｋ、２２ｍ、２４ｆ  インサート部材
１０  フレーム
１２  メインフレーム（繊維強化樹脂製の部品）
１４  左ヒールガード（繊維強化樹脂製の部品）
１５  左ステップ
２２  サイドカバー（繊維強化樹脂製の部品）
２３  リアカバー（繊維強化樹脂製の部品）
２４  右ヒールガード（繊維強化樹脂製の部品）
２５  右ステップ
Ｐ  乗員
【図１】
2018139659.tif 000003
【図２】
2018139659.tif 000004
【図３】
2018139659.tif 000005
【図４】
2018139659.tif 000006
【図５】
2018139659.tif 000007
【図６】
2018139659.tif 000008
【図７】
2018139659.tif 000009
【図８】
2018139659.tif 000010
【図９】
2018139659.tif 000011
【図１０】
2018139659.tif 000012
【図１１】
2018139659.tif 000013
【国際調査報告】
2018139659.tif 000014
2018139659.tif 000015
2018139659.tif 000016
2018139659.tif 000017